(57)【要約】      （修正有）【課題】マッサージの対象とする手の指或は足の指を挟んだまま引く抜くことで該指にマッサージ効果を与える方式の手の指及び足の指のためのマッサージ器具を提供する。【解決手段】本発明の手の指及び足の指のマッサージ器具は、２個の棒状物体或はＵ字型のはさみの一端側の各々の先端部に同一方向へ折り曲げた折り曲げ部を設け、該折り曲げ部の各々に弾性体を当該２個の弾性体で手の指及び足の指を挟めるように装着したことを特徴とする。なお、前記弾性体は、回転可能に取り付ける方法と非回転に取り付ける方法がある。また弾性体は、指を痛めることのない硬さの材料（例えば、ゴム）で形成されていると、人の手によってマッサージを施されているようでリラックス効果が高い。【選択図】図１
2005118509.tif 000002
【特許請求の範囲】
【請求項１】
２本の棒状物体を交差させて、これを連結ピンを介して回転可能なＸ型に連結して、前記２本の棒状物体の各々の一端側の先端部に前記連結ピンの軸方向へＬ字型に折り曲げた折り曲げ部を設け、当該折り曲げ部の各々にローラを回転可能に且つ前記２本の棒状物体のローラを装着していない一端側を握ることによって該２個のローラで手の指及び足の指を挟めるように装着したことを特徴とする手及び足のマッサージ器具。
【請求項２】
先端側が閉じるようなＵ字型のはさみの２個存在する先端部に同一方向へＬ字型に折り曲げた折り曲げ部を設け、当該折り曲げ部の各々にローラを回転可能に且つ前記Ｕ字型のはさみの柄の部分を手で握ることによって該２個のローラで手の指及び足の指を挟めるように装着したことを特徴とする手及び足のマッサージ器具。
【請求項３】
Ｕ字型のはさみに先端側が閉じるように働くバネを設け、前記Ｕ字型のはさみの２個存在する先端部に同一方向へＬ字型に折り曲げた折り曲げ部を設け、当該折り曲げ部の各々にローラを回転可能に且つ当該２個のローラで手の指及び足の指を挟めるように装着したことを特徴とする手及び足のマッサージ器具。
【請求項４】
２個の棒状物体を、当該２個の棒状物体の端部が開閉自在になるように連結ピンを介して結合させて、これの一端側が閉じるように働くバネを設け、前記２個の棒状物体の前記バネによって閉じる側の先端部に前記連結ピンの軸方向へＬ字型に折り曲げた折り曲げ部を設け、当該折り曲げ部の各々にローラを回転可能に且つ当該２個のローラで手の指及び足の指を挟めるように装着したことを特徴とする手及び足のマッサージ器具。
【請求項５】
棒状物体を長軸方向の中央部で輪を１個以上作って弾性を持たせたＵ字型を作り、該輪によって先端部が閉じるように該Ｕ字型の２個存在する柄の部分を交差させて、更に該先端部に同一方向へＬ字型に折り曲げた折り曲げ部を設け、当該折り曲げ部の各々にローラを回転可能に且つ当該２個のローラで手の指及び足の指を挟めるように装着したことを特徴とする手及び足のマッサージ器具。
【請求項６】
２本の棒状物体を交差させて、これを連結ピンを介して回転可能なＸ型に連結して、前記２本の棒状物体の各々の一端側の先端部に前記連結ピンの軸方向へＬ字型に折り曲げた折り曲げ部を設け、当該折り曲げ部の各々に弾性体を前記２本の棒状物体の弾性体を装着していない一端側を握ることによって該２個の弾性体で手の指及び足の指を挟めるように装着したことを特徴とする手及び足のマッサージ器具。
【請求項７】
先端側が閉じるようなＵ字型のはさみの２個存在する先端部に同一方向へＬ字型に折り曲げた折り曲げ部を設け、当該折り曲げ部の各々に弾性体を前記Ｕ字型のはさみの柄の部分を手で握ることによって該２個の弾性体で手の指及び足の指を挟めるように装着したことを特徴とする手及び足のマッサージ器具。
【請求項８】
Ｕ字型のはさみに先端側が閉じるように働くバネを設け、前記Ｕ字型のはさみの２個存在する先端部に同一方向へＬ字型に折り曲げた折り曲げ部を設け、当該折り曲げ部の各々に弾性体を当該２個の弾性体で手の指及び足の指を挟めるように装着したことを特徴とする手及び足のマッサージ器具。
【請求項９】
２個の棒状物体を、当該２個の棒状物体の端部が開閉自在になるように連結ピンを介して結合させて、これの一端側が閉じるように働くバネを設け、前記２個の棒状物体の前記バネによって閉じる側の先端部に前記連結ピンの軸方向へ折り曲げた折り曲げ部を設け、当該折り曲げ部の各々に弾性体を当該２個の弾性体で手の指及び足の指を挟めるように装着したことを特徴とする手及び足のマッサージ器具。
【請求項１０】
棒状物体を長軸方向の中央部で輪を１個以上作って弾性を持たせたＵ字型を作り、該輪によって先端部が閉じるように該Ｕ字型の２個存在する柄の部分を交差させて、更に該先端部に同一方向へＬ字型に折り曲げた折り曲げ部を設け、当該折り曲げ部の各々に弾性体を該２個の弾性体で手の指及び足の指を挟めるように装着したことを特徴とする手及び足のマッサージ器具。
【請求項１１】
２本の棒状物体を交差させて、これを連結ピンを介して回転可能なＸ型に連結して、前記２本の棒状物体の各々の一端側の先端部にコの字型に成型された支柱を設け、当該支柱で両側から挟みこまれるようにローラを回転可能に且つ前記２本の棒状物体のローラを装着していない一端側を握ることによって該２個のローラで手の指及び足の指を挟めるように装着したことを特徴とする手及び足のマッサージ器具。
【請求項１２】
先端側が閉じるようなＵ字型のはさみの２個存在する先端部にコの字型に成型された支柱を設け、当該支柱で両側から挟みこまれるようにローラを回転可能に且つ前記Ｕ字型のはさみの柄の部分を手で握ることによって該２個のローラで手の指及び足の指を挟めるように装着したことを特徴とする手及び足のマッサージ器具。
【請求項１３】
Ｕ字型のはさみに先端側が閉じるように働くバネを設け、前記Ｕ字型のはさみの２個存在する先端部にコの字型に成型された支柱を設け、当該支柱で両側から挟みこまれるようにローラを回転可能に且つ当該２個のローラで手の指及び足の指を挟めるように装着したことを特徴とする手及び足のマッサージ器具。
【請求項１４】
２個の棒状物体を、当該２個の棒状物体の端部が開閉自在になるように連結ピンを介して結合させて、これの一端側が閉じるように働くバネを設け、前記２個の棒状物体の前記バネによって閉じる側の先端部にコの字型に成型された支柱を設け、当該支柱で両側から挟みこまれるようにローラを回転可能に且つ当該２個のローラで手の指及び足の指を挟めるように装着したことを特徴とする手及び足のマッサージ器具。
【請求項１５】
棒状物体を長軸方向の中央部で輪を１個以上作って弾性を持たせたＵ字型を作り、該輪によって先端部が閉じるように該Ｕ字型の２個存在する柄の部分を交差させて、更に該先端部にコの字型に成型された支柱を設け、当該支柱で両側から挟みこまれるようにローラを回転可能に且つ該２個のローラで手の指及び足の指を挟めるように装着したことを特徴とする手及び足のマッサージ器具。
【請求項１６】
２本の棒状物体を交差させて、これを連結ピンを介して回転可能なＸ型に連結して、前記２本の棒状物体の各々の一端側の先端部にＴの字型に成型された装着板を設け、当該装着板の各々に弾性体を前記２本の棒状物体の弾性体を装着していない一端側を握ることによって該２個の弾性体で手の指及び足の指を挟めるように装着したことを特徴とする手及び足のマッサージ器具。
【請求項１７】
先端側が閉じるようなＵ字型のはさみの２個存在する先端部にＴの字型に成型された装着板を設け、当該装着板の各々に弾性体を前記Ｕ字型のはさみの柄の部分を手で握ることによって該２個の弾性体で手の指及び足の指を挟めるように装着したことを特徴とする手及び足のマッサージ器具。
【請求項１８】
Ｕ字型のはさみに先端側が閉じるように働くバネを設け、前記Ｕ字型のはさみの２個存在する先端部にＴの字型に成型された装着板を設け、当該装着板の各々に弾性体を当該２個の弾性体で手の指及び足の指を挟めるように装着したことを特徴とする手及び足のマッサージ器具。
【請求項１９】
２個の棒状物体を、当該２個の棒状物体の端部が開閉自在になるように連結ピンを介して結合させて、これの一端側が閉じるように働くバネを設け、前記２個の棒状物体の前記バネによって閉じる側の先端部にＴの字型に成型された装着板を設け、当該装着板の各々に弾性体を当該２個の弾性体で手の指及び足の指を挟めるように装着したことを特徴とする手及び足のマッサージ器具。
【請求項２０】
棒状物体を長軸方向の中央部で輪を１個以上作って弾性を持たせたＵ字型を作り、該輪によって先端部が閉じるように該Ｕ字型の２個存在する柄の部分を交差させて、更に該先端部にＴの字型に成型された装着板を設け、当該装着板の各々に弾性体を当該２個の弾性体で手の指及び足の指を挟めるように装着したことを特徴とする手及び足のマッサージ器具。
【請求項２１】
ローラは、折り曲げ部が挿通する比較的硬い筒状物体と、該筒状物体の周囲に取り付く弾性体とで構成されており、該弾性体はゴム等の指を痛めることのない素材で形成されていることを特徴としている請求項１、請求項２、請求項３、請求項４、請求項５、請求項１１、請求項１２、請求項１３、請求項１４及び請求項１５のいずれか記載の手及び足のマッサージ器具。
【請求項２２】
ローラは、折り曲げ部が挿通するように加工された弾性体で形成されており、該弾性体はゴム等の指を痛めることのない素材で形成されていることを特徴としている請求項１、請求項２、請求項３、請求項４、請求項５、請求項１１、請求項１２、請求項１３、請求項１４及び請求項１５のいずれか記載の手及び足のマッサージ器具。
【請求項２３】
弾性体は、その断面が半円状、或は多角形の形状をしており、当該弾性体はゴム等の指を痛めることのない素材で形成されていることを特徴としている請求項６、請求項７、請求項８、請求項９、請求項１０、請求項１６、請求項１７、請求項１８、請求項１９及び請求項２０のいずれか記載の手及び足のマッサージ器具。
【発明の詳細な説明】
【技術分野】
【０００１】  本発明は手及び足のマッサージ器具に関し、詳しくは手の指及び足の指の体液（血液、リンパ等）の循環を促し、且つ手の指及び足の指のつぼに刺激を与えるためのマッサージ器具に関するものである。
【背景技術】
【０００２】  左手の人差し指の根本付近の手の甲側と手の平側を右手の親指と人差し指とで挟んで、挟んだまま左手の人差し指の先端方向に向かって右手の親指と人差し指をスライドさせる動作は、左手の人差し指の体液（血液、リンパ等）の循環を促し、且つ左手の人差し指のつぼに刺激を与えるマッサージ効果が得られるため大変気持ちが良くリラックスできる。なお、両手の全指及び両足の全指に対しても前記動作は、前記同様の効果が得られる。但しこの動作は大変手間の掛かる動作である。
【発明の開示】
【発明が解決しようとする課題】
【０００３】  しかしながら、手の指及び足の指を挟んだまま引く抜く方式のマッサージ器具は従来見られなかった。本発明はこのような実情に鑑み発明されたのである。
【課題を解決するための手段】
【０００４】  課題を解決するための本発明の手段は次の通りである。請求項１及び請求項１１に係る手の指及び足の指のマッサージ器具は、２本の棒状物体を交差させて、これを連結ピンを介して回転可能なＸ型に連結して、前記２本の棒状物体の各々の一端側の先端部に同一方向へ折り曲げた折り曲げ部を設け、当該折り曲げ部の各々にローラを回転可能に且つ前記２本の棒状物体のローラを装着していない一端側を握ることによって該２個のローラで手の指及び足の指を挟めるように装着したことを特徴とする。【０００５】  請求項２及び請求項１２に係る手の指及び足の指のマッサージ器具は、先端側が閉じるようなＵ字型のはさみの２個存在する先端部に同一方向へ折り曲げた折り曲げ部を設け、当該折り曲げ部の各々にローラを回転可能に且つ前記Ｕ字型のはさみの柄の部分を手で握ることによって該２個のローラで手の指及び足の指を挟めるように装着したことを特徴とする。【０００６】  請求項３及び請求項１３に係る手の指及び足の指のマッサージ器具は、Ｕ字型のはさみに先端側が閉じるように働くバネを設け、前記Ｕ字型はさみの２個存在する先端部に同一方向へ折り曲げた折り曲げ部を設け、当該折り曲げ部の各々にローラを回転可能に且つ当該２個のローラで手の指及び足の指を挟めるように装着したことを特徴とする。【０００７】  請求項４及び請求項１４に係る手の指及び足の指のマッサージ器具は、２個の棒状物体を、当該２個の棒状物体の端部が開閉自在になるように連結ピンを介して結合させて、これの一端側が閉じるように働くバネを設け、該バネによって閉じる側の各々の先端部に前記連結ピンの軸方向へ折り曲げた折り曲げ部を設け、当該折り曲げ部の各々にローラを回転可能に且つ当該２個のローラで手の指及び足の指を挟めるように装着したことを特徴とする。【０００８】  請求項５及び請求項１５に係る手の指及び足の指のマッサージ器具は、棒状物体を長軸方向の中央部で輪を１個以上作って弾性を持たせたＵ字型を作り、該輪によって先端部が閉じるように該Ｕ字型の２個存在する柄の部分を交差させて、更に該先端部に同一方向へＬ字型に折り曲げた折り曲げ部を設け、当該折り曲げ部の各々にローラを回転可能に且つ該２個のローラで手の指及び足の指を挟めるように装着したことを特徴とする。【０００９】  請求項６及び請求項１６に係る手の指及び足の指のマッサージ器具は、２本の棒状物体を交差させて、これを連結ピンを介して回転可能なＸ型に連結して、前記２本の棒状物体の各々の一端側の先端部に同一方向へ折り曲げた折り曲げ部を設け、当該折り曲げ部の各々に弾性体を前記２本の棒状物体の弾性体を装着していない一端側を握ることによって該２個の弾性体で手の指及び足の指を挟めるように装着したことを特徴とする。【００１０】  請求項７及び請求項１７に係る手の指及び足の指のマッサージ器具は、先端側が閉じるようなＵ字型のはさみの２個存在する先端部に同一方向へ折り曲げた折り曲げ部を設け、当該折り曲げ部の各々に弾性体を前記Ｕ字型のはさみの柄の部分を手で握ることによって該２個の弾性体で手の指及び足の指を挟めるように装着したことを特徴とする。【００１１】  請求項８及び請求項１８に係る手の指及び足の指��マッサージ器具は、Ｕ字型のはさみに先端側が閉じるように働くバネを設け、前記Ｕ字型はさみの２個存在する先端部に同一方向へ折り曲げた折り曲げ部を設け、当該折り曲げ部の各々に弾性体を当該２個の弾性体で手の指及び足の指を挟めるように装着したことを特徴とする。【００１２】  請求項９及び請求項１９に係る手の指及び足の指のマッサージ器具は、２個の棒状物体を、当該２個の棒状物体の端部が開閉自在になるように連結ピンを介して結合させて、これの一端側が閉じるように働くバネを設け、該バネによって閉じる側の各々の先端部に前記連結ピンの軸方向へ折り曲げた折り曲げ部を設け、当該折り曲げ部の各々に弾性体を当該２個の弾性体で手の指及び足の指を挟めるように装着したことを特徴とする。【００１３】  請求項１０及び請求項２０に係る手の指及び足の指のマッサージ器具は、棒状物体を長軸方向の中央部で輪を１個以上作って弾性を持たせたＵ字型を作り、該輪によって先端部が閉じるように該Ｕ字型の２個存在する柄の部分を交差させて、更に該先端部に同一方向へＬ字型に折り曲げた折り曲げ部を設け、当該折り曲げ部の各々に弾性体を該２個の弾性体で手の指及び足の指を挟めるように装着したことを特徴とする。【００１４】  請求項１、請求項２、請求項３、請求項４、請求項５、請求項１１、請求項１２、請求項１３、請求項１４及び請求項１５のローラは、前記折り曲げ部が挿通する比較的硬い筒状物体と、当該筒状物体の周囲に取り付く弾性体とで構成されており、該弾性体はゴム等の指を痛めることのない素材で形成されていることを特徴としている。【００１５】  また本発明の他の形態として、請求項１、請求項２、請求項３、請求項４、請求項５、請求項１１、請求項１２、請求項１３、請求項１４及び請求項１５のローラは、前記折り曲げ部が挿通する筒状物体が弾性体で形成されており、当該弾性体はゴム等の指を痛めることのない素材で形成されていることを特徴としている。【００１６】  請求項６、請求項７、請求項８、請求項９、請求項１０、請求項１６、請求項１７、請求項１８、請求項１９及び請求項２０の弾性体は、その断面が半円状、或は多角形の形状をしており、当該弾性体はゴム等の指を痛めることのない素材で形成されていることを特徴としている。
【発明の効果】
【００１７】  請求項１、請求項２、請求項６、請求項７、請求項１１、請求項１２、請求項１６及び請求項１７に係る手の指及び足の指のマッサージ器具は、該マッサージ器具の柄の部分を手で握ることによって、前記マッサージ器具の構成要素である相対するローラ或は相対する弾性体でマッサージの対象とする指の根本を挟んで、そのまま該指の指先方向へ前記マッサージ器具を引き抜くことによって、容易で楽に前記指をマッサージすることができる。【００１８】  請求項３、請求項４、請求項５、請求項８、請求項９、請求項１０、請求項１３、請求項１４、請求項１５、請求項１８、請求項１９及び請求項２０に係る手の指及び足の指のマッサージ器具は、該マッサージ器具の構成要素である相対するローラ或は相対する弾性体でマッサージの対象とする指の根本をバネの作用によって挟んで、そのまま該指の指先方向へ前記マッサージ器具を引き抜くことによって、容易で楽に前記指をマッサージすることができる。このように、マッサージの対象とする指を挟む作業をバネの作用によって行う方式のマッサージ器具は、少ない力で簡単にマッサージを行うことができる。
【発明を実施するための最良の形態】
【００１９】  以下で本発明の手の指及び足の指のマッサージ器具を説明する。本発明の手の指及び足の指のマッサージ器具は、２個の棒状物体或はＵ字型のはさみの一端側の各々の先端部に同一方向へ折り曲げた折り曲げ部を設け、該折り曲げ部の各々に弾性体を当該２個の弾性体で手の指及び足の指を挟めるように装着したことを特徴とする。なお、前記弾性体は、回転可能に取り付ける方法と非回転に取り付ける方法がある。
本発明のマッサージ器具を使用して手の指或は足の指をマッサージする方法は、マッサージの対象とする１本の指の根本を本発明のマッサージ器具の構成要素である２個の弾性体で挟み、該指の根本から指先方向に該指を挟んだまま該マッサージ器具を引き抜くことで行うものである。
ここで、マッサージの対象とする指を２個の弾性体で挟む作業は、バネを構成要素としていないマッサージ器具の場合、該マッサージ器具の柄の部分を片方の手で握ることによって行う。他方、バネを構成要素としているマッサージ器具の場合、マッサージの対象とする指を２個の弾性体で挟む作業をバネの作用で行う。また弾性体は、指を痛めることのない硬さの材料（例えば、ゴム）で形成されていると、人の手によってマッサージを施されているようでリラックス効果が高い。
【実施例１】
【００２０】  本発明の実施例を図面により詳細に説明する。図１は、本発明による第１の実施例を示す手の指及び足の指のマッサージ器具である。剛性のある素材から成る２本の棒状物体１及び２を交差させて、これを連結ピン３を介して回転可能なＸ型に連結して、前記２本の棒状物体１、２の各々の一端側に連結ピン３の軸方向へ折り曲げた折り曲げ部４、５を設けこれら折り曲げ部４、５の各々にローラ６、７が回転可能に且つこれら２個のローラで指を挟めるように装着されている。前記棒状物体１、２は、図２に示されるように、剛性のある棒状物体をＬ字型に成形して、この棒状物体の長い柄の部分に前記連結ピンを通すための穴５４が設けられている。
前記ローラ６、７は、図３に示すように、前記折り曲げ部４（或は５）が挿通する比較的硬い筒状物体８と、該筒状物体８の周囲に取り付く弾性体９とで構成されており、該弾性体９はゴム状素材で形成されている。そして前記ローラは、１本の指を押えられるような大きさ、すなわち本例では全長が２０ｍｍで、直径１０ｍｍの寸法に成形されている。
図３のα−α断面を図４に示す。【００２１】  第１の実施例を示す手の指及び足の指のマッサージ器具は上記のように構成されているから、図５に示すようにマッサージ器具のローラを装着していない一端側１及び２を片手で握ることによって、マッサージの対象とする指の根本を２個のローラ６及び７で挟み、該指の根本から指先方向に該指を挟んだまま引き抜くことで該指のマッサージを行う。
【実施例２】
【００２２】  図６は、本発明による第２の実施例を示す手の指及び足の指のマッサージ器具である。先端側が閉じるようなＵ字型のはさみ１０の２個存在する先端部に同一方向へ折り曲げた折り曲げ部１１、１２を設け、当該折り曲げ部１１、１２の各々にローラ１３、１４が回転可能に装着されている。
前記ローラ１３、１４は、図３及び図４に示された構造と同様である。【００２３】  第２の実施例を示す手の指及び足の指のマッサージ器具は上記のように構成されているから、図７に示すようにＵ字型のはさみ１０の柄の部分を片手で握ることによって、マッサージの対象とする指の根本を２個のローラ１３及び１４で挟み、該指の根本から指先方向に該指を挟んだまま引き抜くことで該指のマッサージを行う。
【実施例３】
【００２４】  図８は、本発明による第３の実施例を示す手の指及び足の指のマッサージ器具である。Ｕ字型のはさみ１５の柄の部分に先端側が閉じるように働くバネ１６を設け、前記Ｕ字型のはさみの２個存在する先端部に同一方向へ折り曲げた折り曲げ部１７、１８を設け、当該折り曲げ部の各々にローラ１９、２０が回転可能に装着されている。
前記ローラ１９、２０は、図３及び図４に示された構造と同様である。【００２５】  第３の実施例を示す手の指及び足の指のマッサージ器具は上記のように構成されているから、図９に示すように、マッサージの対象とする指の根本を前記バネ１６の作用を利用して２個のローラ１９及び２０で挟み、Ｕ字型のはさみの柄の部分を片手で持って、該指の根本から指先方向に該指を挟んだまま引き抜くことで該指のマッサージを行う。
【実施例４】
【００２６】  図１０は、本発明による第４の実施例を示す手の指及び足の指のマッサージ器具である。
一端をＬ字型に折り曲げた折り曲げ部２１（２２）を有する棒状物体２３（２４）と該棒状物体の柄２５（２６）の中央付近に半島の様に突出させた連結ピンを挿通するための穴２７（２８）を設けた枝部２９（３０）と前記折り曲げ部２１（２２）に近い箇所にバネを取付けるための穴３１（３２）を設けており、当該２個の棒状物体２３及び２４の端部が開閉自在になるように連結ピン３３を介して結合させて、これの一端側が閉じるように作用するバネ３４を該バネ３４の両端を前記穴３１と３２との間に接続して、更に前記折り曲げ部２１及び２２にローラ３５、３６が回転可能に装着されている。
前記ローラ３５、３６は、図３及び図４に示された構造と同様である。【００２７】  第４の実施例を示す手の指及び足の指のマッサージ器具は上記のように構成されているから、図１１に示すように、マッサージの対象とする指の根本を前記バネ３４の作用を利用して２個のローラ３５及び３６で挟み、前記マッサージ器具の柄２５或は２６を片手で持って該指の根本から指先方向に該指を挟んだまま引き抜くことで該指のマッサージを行う。
【実施例５】
【００２８】  図１２は、本発明による第５の実施例を示す手の指及び足の指のマッサージ器具である。棒状物体を長軸方向の中央部で輪３７を作って弾性を持たせたＵ字型３８を作り、該輪３７によって先端部が閉じるように該Ｕ字型３８の２個存在する柄の部分３９と４０を交差させて、更に前記先端部に同一方向へＬ字型に折り曲げた折り曲げ部４１、４２を設け、当該折り曲げ部４１、４２の各々にローラ４３、４４が回転可能に装着されている。
前記ローラ４３、４４は、図３及び図４に示された構造と同様である。【００２９】  第５の実施例を示す手の指及び足の指のマッサージ器具は上記のように構成されているから、図１３に示すように、前記輪３７で弾性を持たせたＵ字型の作用によって、マッサージの対象とする指の根本を２個のローラ４３及び４４で挟み、前記マッサージ器具のＵ字型の部分を片手で持って該指の根本から指先方向に該指を挟んだまま引き抜くことで該指のマッサージを行う。【００３０】  上記の第１、第２、第３、第４及び第５の実施例によるローラの取り付け方法によると、マッサージ実施時、マッサージ器具の柄の部分はマッサージの対象とする指の側面に位置する。しかしながら、ローラの取り付け方法は多々存在する。図１４は、ローラの取り付け方法の他の例であり、ローラの取付け部付近について、図３に示されているローラのα−α断面で見た説明図である。ローラ４５はコの字型に成型した支柱４６で両端から挟まれるようにして取付けられている。この取り付け方法によると、マッサージ実施時、マッサージ器具の柄の部分４７はマッサージの対象とする指の上方に位置する。【００３１】  前述した第１、第２、第３、第４及び第５の実施例に対して、ローラの代わりに、非回転の弾性体を取り付けた実施例を示す。図１５は、非回転の弾性体を取り付けた取り付け部付近の図である。前記マッサージ器具が備えているＬ字型に折り曲げられた折り曲げ部４８に非回転の弾性体４９が接着されて取付けられている。この取り付け方法によると、マッサージ実施時、柄の部分５０はマッサージの対象とする指の側面に位置する。ここで該弾性体４９は、その断面が半円状の形状をしており、ゴム状の素材で形成されている。【００３２】  また弾性体の取り付け方法の他の例として、弾性体の取付け部付近を図１６に示す。弾性体５１は、Ｔの字型に成型した装着板５２に接着されて取付けられている。この取り付け方法によると、マッサージ実施時、本発明のマッサージ器具の柄の部分５３はマッサージの対象とする指の上方に位置する。ここで該弾性体５１は、その断面が多角形の形状をしており、ゴム状の素材で形成されている。
【図面の簡単な説明】
【００３３】
【図１】本発明の第１の実施例を示す図。
【図２】本発明の第１の実施例の構成要素（棒状物体）を示す図。
【図３】本発明の実施例の構成要素（ローラ）を示す図。
【図４】図３に示されるα−α断面図。
【図５】本発明の第１の実施例の使用例を示す図。
【図６】本発明の第２の実施例を示す図。
【図７】本発明の第２の実施例の使用例を示す図。
【図８】本発明の第３の実施例を示す図。
【図９】本発明の第３の実施例の使用例を示す図。
【図１０】本発明の第４の実施例を示す図。
【図１１】本発明の第４の実施例の使用例を示す図。
【図１２】本発明の第５の実施例を示す図。
【図１３】本発明の第５の実施例の使用例を示す図。
【図１４】本発明のローラの取付け方法の１例を示す断面図。
【図１５】本発明の弾性体の取付け方法の１例を示す図。
【図１６】本発明の弾性体の取付け方法の他の１例を示す図。
【符号の説明】
【００３４】１    棒状物体
２    棒状物体
３    連結ピン
４    棒状物体の折り曲げ部
５    棒状物体の折り曲げ部
６    ローラ
７    ローラ
８    折り曲げ部が挿通する比較的硬い筒状物体
９    弾性体
１０  Ｕ字型のはさみ
１１  折り曲げ部
１２  折り曲げ部
１３  ローラ
１４  ローラ
１５  Ｕ字型のはさみ
１６  バネ
１７  折り曲げ部
１８  折り曲げ部
１９  ローラ
２０  ローラ
２１  折り曲げ部
２２  折り曲げ部
２３  棒状物体
２４  棒状物体
２５  棒状物体の柄
２６  棒状物体の柄
２７  連結ピンを挿通するための穴
２８  連結ピンを挿通するための穴
２９  枝部
３０  枝部
３１  バネを取り付けるための穴
３２  バネを取り付けるための穴
３３  連結ピン
３４  バネ
３５  ローラ
３６  ローラ
３７  輪
３８  Ｕ字型
３９  柄の部分
４０  柄の部分
４１  折り曲げ部
４２  折り曲げ部
４３  ローラ
４４  ローラ
４５  ローラ
４６  コの字型の支柱
４７  マッサージ器具の柄
４８  折り曲げ部
４９  弾性体
５０  マッサージ器具の柄
５１  弾性体
５２  装着板
５３  マッサージ器具の柄
５４  連結ピンを挿通するための穴
【図１】
2005118509.tif 000003
【図２】
2005118509.tif 000004
【図３】
2005118509.tif 000005
【図４】
2005118509.tif 000006
【図５】
2005118509.tif 000007
【図６】
2005118509.tif 000008
【図７】
2005118509.tif 000009
【図８】
2005118509.tif 000010
【図９】
2005118509.tif 000011
【図１０】
2005118509.tif 000012
【図１１】
2005118509.tif 000013
【図１２】
2005118509.tif 000014
【図１３】
2005118509.tif 000015
【図１４】
2005118509.tif 000016
【図１５】
2005118509.tif 000017
【図１６】
2005118509.tif 000018